(57)【要約】【課題】着座荷重を良好に受け止めることができ、シート本体を着座可能状態から円滑に切り替えることが可能な乗り物用シートを提供する。【解決手段】乗り物用シートＳは、シートバック１及びシートクッション２を有するシート本体と、シートバック１に対してシートクッション２を回動可能に連結するとともに、シート本体が着座可能状態のときにシートクッション２の回動動作をロックするクッションロック装置２５と、を備えており、着座可能状態と収納状態の間で切り替え可能なシートである。また、乗り物用シートＳは、車体フロア上に設けられ、シート本体を支持する支持ベース４０と、支持ベース４０の上端に取り付けられ、着座可能状態のときにシートクッション２と支持ベース４０の上下方向の隙間を埋めるために、支持ベース４０からシートクッション２の下端に当接するように延びている隙間埋め部材８０と、を備えている。【選択図】図１
2020083272.tif 000002
【特許請求の範囲】
【請求項１】
シートバック及びシートクッションを有するシート本体と、
前記シートバックに対して前記シートクッションを回動可能に連結するとともに、前記シート本体が着座者を着座させることが可能な着座可能状態のときに前記シートクッションの回動動作をロックするクッションロック装置と、を備え、
前記着座可能状態と、前記シート本体を前記着座可能状態から移動させた移動状態との間で切り替え可能な乗り物用シートであって、
車体フロア上に設けられ、前記シート本体を支持する支持部材と、
前記シートクッション及び前記支持部材の一方に取り付けられ、前記着座可能状態のときに前記シートクッションと前記支持部材の上下方向の間に形成される隙間を埋めるために、前記一方から前記シートクッション及び前記支持部材の他方に当接するように延びている隙間埋め部材と、を備えていることを特徴とする乗り物用シート。
【請求項２】
前記隙間埋め部材は、弾性を有する弾性部を有し、前記支持部材の上端部分に取り付けられていることを特徴とする請求項１に記載の乗り物用シート。
【請求項３】
前記移動状態とは、前記シートバックが前記車体フロアに対して倒伏して前記シートクッションが前記シートバックと前記車体フロアとの間に配置された収納状態であって、
前記隙間埋め部材のうち前記シートクッションに当接する部分には、摺動性を有するカバー部が設けられていることを特徴とする請求項１又は２に記載の乗り物用シート。
【請求項４】
前記隙間埋め部材は、弾性を有する板状バネであって、前記支持部材に取り付けられるバネ取り付け部と、該バネ取り付け部とは反対側の端部に設けられ、前記シートクッションに当接可能なバネ当接部と、を有していることを特徴とする請求項１又は２に記載の乗り物用シート。
【請求項５】
前記バネ当接部には、前記シートクッションに当接する当接面と、該当接面とは上下方向において反対側の面であって前記支持部材に当接可能な面とをそれぞれ保護するためのカバー部が設けられていることを特徴とする請求項４に記載の乗り物用シート。
【請求項６】
前記隙間埋め部材は、前記シートクッションに対し、該シートクッションから前記支持部材に向かって突出する突出長さを変更可能な状態で取り付けられる突出部を有することを特徴とする請求項１に記載の乗り物用シート。
【請求項７】
前記シートクッションは、骨格となるクッションフレームを有し、
前記隙間埋め部材は、前記突出部としての突出軸と、該突出軸の外周面に取り付けられ、前記クッションフレームに対して前記突出軸の突出長さを変更可能な状態で取り付けられる弾性スプリングと、前記突出軸のうち突出先端部分を保護するカバー部と、を有していることを特徴とする請求項６に記載の乗り物用シート。
【請求項８】
前記支持部材は、前記シートクッションに対応した形状を有する支持ベースであって、該支持ベースを上方から覆うベースカバーを備え、
該ベースカバーの表面上には、シート幅方向の側方部分に設けられ、前記シートクッションに向かって上方に突出するように形成される左右のカバー突出部と、該左右のカバー突出部の間に設けられ、該左右のカバー突出部よりも下方に窪むように形成され、収容物を収容するためのカバー収容凹部とが形成され、
前記隙間埋め部材は、前記カバー突出部の上端部分、又は前記シートクッションのうち前記カバー突出部に対向する下端部分に取り付けられていることを特徴とする請求項１乃至７のいずれか１項に記載の乗り物用シート。
【請求項９】
前記移動状態とは、前記シートバックが前記車体フロアに対してシート前方に倒伏して前記シートクッションが前記シートバックと前記車体フロアとの間に配置された収納状態であって、
前記シートバックは、骨格となるバックフレームにクッションパッドを載置して表皮で被覆して構成され、
該表皮は、前記収納状態のときに前記隙間埋め部材を上方から覆うために、前記シートバックの本体部分から一部張り出すように延びている表皮張り出し部を有していることを特徴とする請求項１乃至８のいずれか１項に記載の乗り物用シート。
【発明の詳細な説明】
【技術分野】
【０００１】
本発明は、乗り物用シートに係り、特に、シートバック及びシートクッションを有するシート本体を着座可能状態から切り替えることが可能な乗り物用シートに関する。
【背景技術】
【０００２】
従来、シート本体を構成するシートバック及びシートクッションを車体フロアよりも低位置に収納可能な車両用シートは既に知られており、その中には、シート本体を前倒れさせてシート前方に設けられた収納フロアに収納可能な車両用シートが存在する（例えば、特許文献１，２参照）。
【０００３】
特許文献１に記載の車両用シートでは、車体フロアに取り付けられ、シートバックを回動可能に支持するシート回動軸（フロア側支持軸）と、シートバックに対してシートクッションを回動可能に連結するとともに、シート本体が着座者を着座させることが可能な着座可能状態のときにシートクッションの回動動作をロックするクッションロック装置（ラッチ装置）と、を備えている。
シート本体の収納操作時には、シートバックが車体フロアに対してシートクッションを収納フロアへ移動させるように回転し、シート本体を収納フロアに収納可能な構成となっている。
また、車両用シートは、乗員が着座可能な着座可能状態から、シートクッションを上方に跳ね上げたチップアップ状態へ切り替え可能な構成となっている。
【０００４】
特許文献２に記載の自動車用シートでは、車体フロアに対しシートバックを回動可能に支持するシート回動軸と、シートバックに対しシートクッションを回動可能に連結するクッションロック装置とのほか、上端がシートクッションの前方部分を支持し、下端が収納フロアに固定された脚保持部材に対し回動可能に保持される脚部材と、を備えている。
シート本体の収納操作時には、シートバックが車体フロアに対してシートクッションを収納フロアへ移動させるように回転し、脚部材がシートバックと連動して脚保持部材を中心として回転することで、シート本体を収納フロアに収納可能な構成となっている。
【先行技術文献】
【特許文献】
【０００５】
【特許文献１】特開２０１８−５２４３５号公報
【特許文献２】特開２００７−１７６４０４号公報
【発明の概要】
【発明が解決しようとする課題】
【０００６】
ところで、特許文献１のようなシート本体を収納可能な乗り物用シートでは、シートクッションを下方から支持する脚部材を有していないため、着座者による着座荷重を受け止めるべく、クッションロック装置の剛性を高める必要があった。そのため、クッションロック装置の構造が大型化してしまう虞があった。
また、特許文献２のような乗り物用シートでは、シートクッションを脚部材によって固定支持させているため、着座荷重を十分に受け止めることはできる。一方で、クッションロック装置では、当該装置の構成部品同士の噛み合わせを円滑にするべく、シートバックに対してシートクッションを強固に固定するのではなく、シートクッションに多少の遊びがあることが望ましかった。
そのため、クッションロック装置の大型化を避けながら着座荷重を受け止めることができ、かつ、シートクッションに多少の遊びを持たせてクッションロック装置を円滑に機能させることが可能な乗り物用シートが望まれていた。
【０００７】
また、特許文献１のような乗り物用シートでは、シートクッションを下方から支持する脚部材を有していないため、車両走行時にシートクッションが揺れてしまい、クッションロック装置の内部で構成部品同士の接触による雑音が発生してしまう虞があった。
そのため、車両走行時においてシート構成部品同士の接触による雑音発生を抑制することが可能な乗り物用シートが望まれていた。
【０００８】
本発明は、上記の課題に鑑みてなされたものであり、本発明の目的は、着座者による着座荷重を良好に受け止めることができ、シート本体を着座可能状態から円滑に切り替えることが可能な乗り物用シートを提供することにある。
また、本発明の他の目的は、車両走行時においてシート構成部品同士の接触による雑音発生を抑制することが可能な乗り物用シートを提供することにある。
【課題を解決するための手段】
【０００９】
前記課題は、本発明の乗り物用シートによれば、シートバック及びシートクッションを有するシート本体と、前記シートバックに対して前記シートクッションを回動可能に連結するとともに、前記シート本体が着座者を着座させることが可能な着座可能状態のときに前記シートクッションの回動動作をロックするクッションロック装置と、を備え、前記着座可能状態と、前記シート本体を前記着座可能状態から移動させた移動状態との間で切り替え可能な乗り物用シートであって、車体フロア上に設けられ、前記シートクッションを下方から支持する支持部材と、前記シートクッション及び前記支持部材の一方に取り付けられ、前記着座可能状態のときに前記シートクッションと前記支持部材の上下方向の間に形成される隙間を埋めるために、前記一方から前記シートクッション及び前記支持部材の他方に当接するように延びている隙間埋め部材と、を備えていること、により解決される。
上記のように、車体フロア上に設けられ、シート本体を支持する支持部材と、シートクッション及び支持部材の一方に取り付けられ、着座可能状態のときにシートクッションと支持部材の上下方向の隙間を埋めるために、一方からシートクッション及び支持部材の他方に当接するように延びている隙間埋め部材と、を備えているため、着座荷重を良好に受け止めることができ、シート本体を着座可能状態から円滑に切り替え可能な乗り物用シートを実現することができる。
詳しく述べると、一方に取り付けられた隙間埋め部材が、他方に対し固定されるわけではなく当接するように設けられているため、着座荷重を比較的良好に受け止めながらも、シートクッションに適度な遊びを持たせてクッションロック装置を円滑に機能させることが可能となる。
【００１０】
このとき、前記隙間埋め部材は、弾性を有する弾性部を有し、前記支持部材の上端部分に取り付けられていると良い。
上記構成により、着座荷重を一層良好に受け止めながら、クッションロック装置を円滑に機能させることができる。
また、隙間埋め部材の弾性を利用して、車両走行時においてもシート構成部品同士の接触による雑音発生を抑制することができる。
【００１１】
このとき、前記移動状態とは、前記シートバックが前記車体フロアに対して倒伏して前記シートクッションが前記シートバックと前記車体フロアとの間に配置された収納状態であって、前記隙間埋め部材のうち前記シートクッションに当接する部分には、摺動性を有するカバー部が設けられていると良い。
上記構成により、シート本体を着座可能状態から収納状態に切り替えるときに、シートクッションを円滑に摺動させることができるため、シート切り替え操作が容易になる。
【００１２】
このとき、前記隙間埋め部材は、弾性を有する板状バネであって、前記支持部材に取り付けられるバネ取り付け部と、該バネ取り付け部とは反対側の端部に設けられ、前記シートクッションに当接可能なバネ当接部と、を有していると良い。
上記構成により、板状バネを利用したシンプルな構成で、弾性を有する隙間埋め部材を実現することができる。
【００１３】
このとき、前記バネ当接部には、前記シートクッションに当接する当接面と、該当接面とは上下方向において反対側の面であって前記支持部材に当接可能な面とをそれぞれ保護するためのカバー部が設けられていると良い。
上記構成により、隙間埋め部材の着座荷重に対する耐久性が向上し、かつ、接触に伴う雑音発生を抑制し易くなる。
【００１４】
このとき、前記隙間埋め部材は、前記シートクッションに対し、該シートクッションから前記支持部材に向かって突出する突出長さを変更可能な状態で取り付けられる突出部を有すると良い。
また、前記シートクッションは、骨格となるクッションフレームを有し、前記隙間埋め部材は、前記突出部としての突出軸と、該突出軸の外周面に取り付けられ、前記クッションフレームに対して前記突出軸の突出長さを変更可能な状態で取り付けられる弾性スプリングと、前記突出軸のうち突出先端部分を保護するカバー部と、を有していると良い。
上記構成により、突出部（突出軸）を用いたシンプルな構成で、シートクッションを好適に支持することが可能な隙間埋め部材を実現できる。
また、カバー部を有しているため、隙間埋め部材の着座荷重に対する耐久性が向上し、かつ、接触に伴う雑音発生を抑制し易くなる。
【００１５】
このとき、前記支持部材は、前記シートクッションに対応した形状を有する支持ベースであって、該支持ベースを上方から覆うベースカバーを備え、該ベースカバーの表面上には、シート幅方向の側方部分に設けられ、前記シートクッションに向かって上方に突出するように形成される左右のカバー突出部と、該左右のカバー突出部の間に設けられ、該左右のカバー突出部よりも下方に窪むように形成され、収容物を収容するためのカバー収容凹部とが形成され、前記隙間埋め部材は、前記カバー突出部の上端部分、又は前記シートクッションのうち前記カバー突出部に対向する下端部分に取り付けられていると良い。
上記構成により、シートクッションよりも下方位置に収容領域を有する乗り物用シートにおいて、隙間埋め部材が収容領域（カバー収容凹部）を阻害することがなくなる。
【００１６】
このとき、前記移動状態とは、前記シートバックが前記車体フロアに対してシート前方に倒伏して前記シートクッションが前記シートバックと前記車体フロアとの間に配置された収納状態であって、前記シートバックは、骨格となるバックフレームにクッションパッドを載置して表皮で被覆して構成され、該表皮は、前記収納状態のときに前記隙間埋め部材を上方から覆うために、前記シートバックの本体部分から一部張り出すように延びている表皮張り出し部を有していると良い。
上記構成により、収納状態のときに隙間埋め部材に異物が付着することを抑制することができ、かつ、シートの外観性も良好になる。
【発明の効果】
【００１７】
本発明によれば、着座荷重を良好に受け止めることができ、シート本体を着座可能状態から円滑に切り替え可能な乗り物用シートを実現できる。詳しく述べると、着座荷重を比較的良好に受け止めながらも、シートクッションに適度な遊びを持たせてクッションロック装置を円滑に機能させることが可能となる。
また本発明によれば、隙間埋め部材の弾性を利用して、車両走行時においてもシート構成部品同士の接触による雑音発生を抑制できる。
また本発明によれば、シート本体を着座可能状態から収納状態に切り替えるときに、シートクッションを円滑に摺動させることができるため、シート切り替え操作が容易になる。
また本発明によれば、シンプルな構成で、弾性を有する隙間埋め部材を実現できる。
また本発明によれば、隙間埋め部材の着座荷重に対する耐久性が向上し、かつ、接触に伴う雑音発生を抑制し易くなる。
また本発明によれば、シートクッションよりも下方位置に収容領域を有する乗り物用シートにおいて、隙間埋め部材が収容領域を阻害することがなくなる。
また本発明によれば、収納状態のときに隙間埋め部材に異物が付着することを抑制でき、かつ、シートの外観性も良好になる。
【図面の簡単な説明】
【００１８】
【図１】本発明に係る乗り物用シートの斜視図である。
【図２】シート本体が収納状態であるときの乗り物用シートの斜視図である。
【図３】シート本体がチップアップ状態であるときの乗り物用シートの斜視図である。
【図４】乗り物用シートの骨格となるシートフレームの斜視図である。
【図５】シートフレームの側面図であって、クッションロック装置を示す図である。
【図６】図１のＶＩ−ＶＩ断面図であって、隙間埋め部材を示す図である。
【図７】乗り物用シートの側面図であって、着座可能状態を示す図である。
【図８】着座可能状態から収納状態へ移動する動作を説明する図である。
【図９】収納状態を示す図である。
【図１０】チップアップ状態を示す図である。
【図１１】図１のＸＩ−ＸＩ断面図であって、第２実施形態の隙間埋め部材を示す図である。
【図１２】図１のＸＩＩ−ＸＩＩ断面図であって、第３実施形態の隙間埋め部材を示す図である。
【発明を実施するための形態】
【００１９】
以下、本発明の実施形態に係る乗り物用シートについて、図１〜図１２を参照しながら説明する。
本実施形態は、シートバック及びシートクッションを有するシート本体と、シートバックに対してシートクッションを回動可能に連結するとともに、シート本体が着座可能状態のときにシートクッションの回動動作をロックするクッションロック装置と、を備え、着座可能状態と収納状態の間で切り替え可能な乗り物用シートであって、車体フロア上に設けられ、シート本体を支持する支持ベース（支持部材）と、支持ベースの上端に取り付けられ、着座可能状態のときにシートクッションと支持ベースの上下方向の隙間を埋めるために、支持ベースからシートクッションの下端に当接するように延びている隙間埋め部材と、を備えていることを特徴とする乗り物用シートの発明に関するものである。
なお、乗り物用シートのシートバックに対して乗員が着座する側がシート前方側となる。
【００２０】
本実施形態の乗り物用シートＳは、例えば車両の後部座席に相当するリアシートである。なお、車両前後方向に三列のシートを備える車両において二列目のミドルシートとしても利用可能である。
乗り物用シートＳは、図１に示すように着座者が着座可能な着座可能状態と、図２に示すように、シート本体を収納フロアに収納させた収納状態と、図３に示すように、シート本体を上方に跳ね上げたチップアップ状態との３種類の形態のシートアレンジが可能なシートである。
具体的には、乗り物用シートＳは、図７に示す着座可能状態から、着座者がシート本体の上端部にある操作レバー５を引っ張ると、シート本体が前倒れして折り畳まれ（図８参照）、収納フロアに収納された図９に示す収納状態に切り替わる。そして、収納状態から、着座者が手動でシート本体を上方に起こすことで図１０に示すチップアップ状態に切り替わる。さらに、チップアップ状態から、着座者がシート本体の下端部にある操作ダンパ６を引っ張ると、シート本体の一部（シートクッション）が下方に回転し、図７に示す着座可能状態に復帰する。詳細は後述する。
【００２１】
乗り物用シートＳは、図１、図４に示すように、シートバック１と、シートクッション２と、ヘッドレスト３とを備えるシート本体と、車体フロア上に取り付けられ、シート本体を前後方向に移動可能に支持する左右のレール装置４と、レール装置４上に取り付けられ、シート本体を支持する支持ベース４０と、から主に構成されている。
また、乗り物用シートＳは、図１に示すように、支持ベース４０を上方から覆うベースカバー６０と、シートクッション２の一部をシート幅方向の外側から覆うクッションカバー７０と、ベースカバー６０の上端部分に取り付けられ、着座可能状態のときにシートクッション２とベースカバー６０の上下方向の隙間を埋めるために、ベースカバー６０からクッションカバー７０に当接するように延びている隙間埋め部材８０と、から主に構成されている。
さらに、乗り物用シートＳは、図４、図５に示すように、支持ベース４０に対してシートバック１を回動可能に連結するとともに、着座可能状態及びチップアップ状態のときにシートバック１の回動動作をロックするリクライニング装置１２と、シートバック１に対してシートクッション２を回動可能に連結するとともに、着座可能状態、収納状態及びチップアップ状態のときにシートクッション２の回動動作をロックするクッションロック装置２５と、を備えている。
【００２２】
シートバック１は、図１に示すように、乗員の背中を後方から支持する背もたれ部であって、骨格となる図４に示すバックフレーム１０に、クッションパッド１ａを載置して、表皮１ｂで被覆されて構成されている。
表皮１ｂのうち、シートバック１の裏面に設けられた部分には、図２に示すように、収納状態のときに隙間埋め部材８０を上方から覆うべく、シートバック１の本体部分から一部張り出すように延びている左右の表皮張り出し部１ｃが形成されている。左右の表皮張り出し部１ｃのシート幅方向の間には、ベースカバー６０に設けられたカバー収容凹部６２が少なくとも一部分露出するように配置されている。
【００２３】
シートクッション２は、乗員を下方から支持する着座部であって、骨格となる図４に示すクッションフレーム２０に、クッションパッド２ａを載置して、クッションパッド２ａの上から表皮２ｂによって被覆されて構成されている。
ヘッドレスト３は、乗員の頭を後方から支持する頭部であって、芯材となる不図示のピラーにクッションパッドを載置して表皮で被覆されて構成されている。
【００２４】
レール装置４は、上下方向においてシート本体と車体フロアとの間に配設されており、図４に示すように、車体フロアに固定され、シート前後方向に延びる左右のロアレール４ａと、ロアレール４ａに沿って摺動可能に支持される左右のアッパレール４ｂと、から構成されている。
左右のアッパレール４ｂの上面には、支持ベース４０が架設されている。
【００２５】
バックフレーム１０は、シートバック１の骨格となる略矩形状の枠状体からなり、図４に示すように、バックフレーム１０の左右外側面であって下方部分には、支持ベース４０と連結するための左右の連結ブラケット１１が取り付けられている。
連結ブラケット１１は、上下方向に延出する弓形状の板金部材からなり、連結ブラケット１１の上端がバックフレーム１０に取り付けられ、その下端が支持ベース４０に取り付けられている。
右側の連結ブラケット１１の下端部には、支持ベース４０に対してバックフレーム１０を回動可能に連結するリクライニング装置１２が取り付けられており、左側の連結ブラケット１１の下端部には、シート幅方向において支持ベース４０に軸支されたシート回動軸１３が設けられている。
【００２６】
リクライニング装置１２は、公知の装置からなり、図４に示すように、シート幅方向において連結ブラケット１１の内側面に配置されており、シート幅方向においてクッションフレーム２０との干渉を抑制している。
リクライニング装置１２は、シート回動軸１３と、バックフレーム１０をシート回動軸１３を中心として前方側に回転させて収納状態に付勢する渦巻きバネ１４と、から主に構成されている。
シート回動軸１３は、シート幅方向においてバックフレーム１０側と支持ベース４０側とに軸支され、渦巻きバネ１４は、その一端がバックフレーム１０側に係止され、他端が支持ベース４０側に係止されている。
リクライニング装置１２は、バックフレーム１０の回動動作をロックするロック状態に切り替え可能であって、バックフレーム１０を図１の起立姿勢にロックし、操作レバー５が操作されることでロック状態を解除し、渦巻きバネ１４の付勢力によってバックフレーム１０を前方側に回転させて車体フロア側に折り畳むことができる（図２参照）。
【００２７】
クッションフレーム２０は、シートクッション２の骨格となる略矩形状の枠状体からなり、図４に示すように、シート幅方向の側方に配置された左右のサイドフレーム２１と、各サイドフレーム２１の前方部分を連結するＵ字形状の前方連結パイプ２２と、各サイドフレームの前後方向の略中央部分を連結する中央連結パイプ２３と、前方連結パイプ２２と中央連結パイプ２３を連結する板状フレームとしてのパンフレーム２４と、から主に構成されている。
サイドフレーム２１は、シート前後方向に延出する板金部材からなり、その前方部分が前方連結パイプ２２と連結され、その後方部分には、バックフレーム１０に対してクッションフレーム２０を回動可能に連結するクッションロック装置２５が取り付けられている。
【００２８】
クッションロック装置２５は、公知の装置からなり、図４、図５に示すように、クッション回動軸２６と、クッションフレーム２０をクッション回動軸２６を中心として下方側に付勢する渦巻きバネ２７と、を備えている。
クッション回動軸２６は、シート幅方向においてバックフレーム１０側とクッションフレーム２０側とに軸支され、渦巻きバネ２７は、その一端がバックフレーム１０側に係止され、他端がクッションフレーム２０側に係止されている。
クッションロック装置２５は、クッションフレーム２０の回動動作をロックするロック状態に切り替え可能である。
クッションロック装置２５は、クッションフレーム２０を図１の水平姿勢にロックし、操作レバー５が操作されることでロック状態を解除し、渦巻きバネ２７の付勢力によってクッションフレーム２０を前方側に付勢しながら車体フロア側に折り畳むことができる(図２参照)。シート本体を収納フロアに収納させたときに、シートクッション２の下端に設けられた操作ダンパ６が収納フロアに当接して自動的に操作されることで、クッションフレーム２０の回動動作をロックする。また、手動でシート本体を上方に起こしたときに（図３参照）、操作ダンパ６が引っ張られるとロック状態を解除し、渦巻きバネ２７の付勢力によってバックフレーム１０に対しクッションフレーム２０を下方側に回転させることができる。
【００２９】
支持ベース４０は、シート本体を支持する部材であり、図４に示すように、シート幅方向の側方部分に設けられ、アッパレール４ｂに沿って配置される左右のサイドベース部４１と、各サイドベース部４１の前方部分を連結する第１ベース連結部４２と、各サイドベース部４１の略中央部分を連結する第２ベース連結部４３と、各サイドベース部４１の上面に取り付けられる左右の補強ベース部４４と、を備えている。
第１ベース連結部４２、第２ベース連結部４３それぞれの左右両端部は、サイドベース部４１と補強ベース部４４とで挟まれて連結されている。
補強ベース部４４は、サイドベース部４１と上下で重なり合って閉断面構造を形成しており、支持ベース４０が最中形状となっている。
【００３０】
ベースカバー６０は、図１に示すように、支持ベース４０全体及びレール装置４を上方から覆う樹脂成形品である。
ベースカバー６０は、支持ベース４０及びレール装置４を外部から保護する機能のほか、シート本体が着座可能状態から収納状態に切り替わるときにシート本体（シートクッション２）の移動をガイドする機能を備えている。
ベースカバー６０は、シート幅方向の側方部分に設けられ、シートクッション２に向かって上方に突出するように形成される左右のカバー突出部６１と、左右のカバー突出部６１の間に設けられ、カバー突出部６１よりも下方に窪むように形成され、収容物を収容するためのカバー収容凹部６２と、を主に備えている。
【００３１】
カバー突出部６１は、シート幅方向から見たときに略凸形状の湾曲面を有し、シート前後方向に延びた長尺体であって、シート幅方向において若干の横幅を有している。
カバー突出部６１は、そのシート前後方向の中央部分が最も高い上面を有し、そして、当該中央部分の上面からシート前方に向かって下方傾斜する傾斜面を有している。シート前方にある傾斜面の延長線上には、収納フロアが配置されている。
カバー突出部６１は、シート本体が着座可能状態から収納状態へ移動するときに、図８に示すように、シートクッション２（クッションカバー７０）に設けられた後述のクッション当接部７１と当接し、クッション当接部７１を収納フロア側へ摺動させる（滑走させる）機能を有している。つまり、シートクッション２がベースカバー６０によってガイドされて収納フロアへ円滑に向かうように構成されている。
カバー突出部６１のシート前後方向の中央部分には、カバー突出部６１から上方に一部張り出すようにして隙間埋め部材８０が取り付けられている。
【００３２】
カバー収容凹部６２は、図１に示すように、シートクッション２より下方位置に形成され、着座者の荷物等を載置するための略直方体状の収容空間（収容領域）である。
カバー収容凹部６２は、左右のカバー突出部６１よりも下方に窪んでおり、着座可能状態、収納状態及びチップアップ状態のいずれの状態であっても、シートバック１を含む他のシート構成部品と干渉することがなく、収容空間として利用することができる。
【００３３】
クッションカバー７０は、図１に示すように、シートクッション２のうち、図４に示す左右のサイドフレーム２１を左右外側から覆う略Ｕ字形状の樹脂成形品からなる。
クッションカバー７０は、クッションフレーム２０（サイドフレーム２１）を外部から保護する機能のほか、シート本体が着座可能状態から収納状態に切り替わるときにベースカバー６０（カバー突出部６１）の上面を摺動することで、シート収納動作を円滑にする機能を有している。また、着座可能状態のときに、隙間埋め部材８０に対し当接することで、着座荷重を良好に受け止める機能を有している。
クッションカバー７０の底面は、ベースカバー６０側に張り出した略凸形状の湾曲面を有し、シート幅方向及びシート前後方向においてカバー突出部６１と重なる位置に配置されている。
また、クッションカバー７０は、シート前後方において図４に示すサイドフレーム２１のうち、中央連結パイプ２３が連結された部分に対応する位置に配置されている。そのため、クッションカバー７０の中で比較的剛性が高まった部分となっている。
【００３４】
隙間埋め部材８０は、図１、図６に示すように、シートクッション２（クッションカバー７０）と支持ベース４０（ベースカバー６０）の上下方向の間に配置される弾性体であって、支持ベース４０側に取り付けられ、支持ベース４０からシートクッション２に向かって延びている。
隙間埋め部材８０は、上下方向に弾性を有する略円筒形状の弾性部８１と、弾性部８１の下端部分に取り付けられ、隙間埋め部材８０と支持ベース４０を連結するための略円盤形状の連結部８２と、弾性部８１の上端部分に取り付けられ、クッションカバー７０の底面に当接し、水平方向に摺動性を有する略円形状のカバー部８３と、から主に構成されている。
隙間埋め部材８０は、ベースカバー６０（カバー突出部６１）の最上端部分に配置されており、シートクッション２（クッションカバー７０）の最下端部分（クッション当接部７１）に対応する位置に配置されている。
【００３５】
弾性部８１は、その中心部分に貫通穴８１ａを有する弾性ゴム部材であって、その下端部分が支持ベース４０の上面に対し当接しており、その上端部分がカバー部８３によって全体的に覆われている。
弾性部８１は、支持ベース４０によって下方から支持された状態で、ベースカバー６０に設けられた開口穴を通じて上方に向かって延びており、ベースカバー６０から一部張り出すように設けられている。
【００３６】
連結部８２は、弾性部８１の下端に圧入される圧入ナットであって、弾性部８１の貫通穴８１ａと連結部８２に設けられたネジ穴とが上下方向に連通するように構成されている。
上記構成において、連結部８２と支持ベース４０とを当接させた状態で連結ボルト８４を上方から締結することで、隙間埋め部材８０が支持ベース４０に取り付けられる。
カバー部８３は、弾性部８１の上端を覆う摺動性部材であって、具体的には、ポリオキシメチレン（ＰＯＭ）のような熱可塑性樹脂材料等から形成される。
カバー部８３は、その本体部分と、当該本体部分の周縁に設けられ下方に延びるフランジ部分と、から構成されており、弾性部８１の上端を挟み込むようにして取り付けられている。
【００３７】
上記構成により、隙間埋め部材８０は、シート本体が着座可能状態のときにシートクッション２（クッションカバー７０）のクッション当接部７１に対して当接し、弾性作用を利用してシートクッション２を下方から支持することができる。
また、隙間埋め部材８０が金属部材となる支持ベース４０によって下方から支持されているため、着座者がシート本体に着座した場合であっても、着座者による着座荷重を受け止めることができる。
そのため、クッションロック装置２５の大型化を避けながらも着座荷重を受け止めることができ、かつ、シートクッション２に多少の遊びを持たせてクッションロック装置２５を円滑に機能させることが可能な乗り物用シートＳとなる。
【００３８】
＜シート収納動作＞
次に、図７、図８に基づいてシート本体を着座可能状態から収納状態へ移動させる動作を説明する。なお、図７、図８において、リクライニング装置１２及びクッションロック装置２５は、黒丸で図示されるときにロック状態を示し、白丸で図示されるときにロック解除状態を示すものとする。図９、図１０も同様である。
【００３９】
乗り物用シートＳが図７に示す着座可能状態にあるとき、シートバック１は、支持ベース４０によって支持され、リクライニング装置１２によって起立姿勢にロックされている。また、シートバック１に連結されたシートクッション２は、支持ベース４０（ベースカバー６０）上に取り付けられた隙間埋め部材８０によって下方から支持されている。
【００４０】
乗り物用シートＳを着座可能状態から収納状態へ移動させるときには、シートバック１上面に設けられた操作レバー５を操作する。
着座者が操作レバー５を操作することで、図８に示すように、リクライニング装置１２及びクッションロック装置２５のロック状態が解除され、シートバック１は、渦巻きバネ１４の付勢力によって、シートクッション２を収納フロアまで移動させるようにシート回動軸１３を中心としてシート前方側に回転を開始する。
なお、操作レバー５と、リクライニング装置１２及びクッションロック装置２５との間には、不図示の公知なケーブルが連結されており、操作レバー５の操作によってケーブルが牽引され、ロック状態を解除する機構となっている。
【００４１】
シートバック１が、図８に示すように、所定の回転位置に到達したときに、シートクッション２（クッション当接部７１）がベースカバー６０（カバー突出部６１）の表面に当接し、ベースカバー６０の表面上を摺動しながら収納フロアに向かって移動する。
そして、図９に示すように、シートクッション２の前方部分が収納フロアに到達したときに、シートクッション２の底面に設けられた操作ダンパ６が、収納フロア面に当接して自動的に操作される。当該操作に伴って、シートクッション２がクッションロック装置２５によって再びロックされることになる。
なお、操作ダンパ６と、クッションロック装置２５との間には、不図示の公知なケーブルが連結されており、操作ダンパ６の操作によってケーブルが引っ張られ、ロック状態とロック解除状態とを切り替える構成となっている。
上記一連の動作によって、シート本体が収納フロアに収納され、乗り物用シートＳが収納状態に切り替わる。
【００４２】
＜シートチップアップ動作＞
次に、図９、図１０に基づいてシート本体を収納状態からチップアップ状態へ移動させる動作を説明する。
乗り物用シートＳが図９に示す収納状態にあるときに、例えば、乗員が手動でシート本体を上方に起こすことで図１０に示すチップアップ状態に切り替わる。
このとき、クッションロック装置２５がシートクッション２の回動動作をロックしているため、シートバック１を上方に起こすことでシートクッション２も一体的に上方に起こすことができる。
なお、チップアップ状態のときに、アッパレール４ｂをロアレール４ａに対してシート後方側に摺動させることによって、シート前方側に一層広い荷室スペースを確保できる。
【００４３】
乗り物用シートＳが図１０に示すチップアップ状態に切り替わったとき、シートバック１は、着座可能状態の位置と同じ位置に復帰し、リクライニング装置１２によって起立姿勢でロックされることになる。
【００４４】
最後に、乗り物用シートＳをチップアップ状態から着座可能状態へ移動させるときには、図１０に示す操作ダンパ６を手前に引く操作をすることで、クッションロック装置２５のロック状態が解除される。
シートクッション２は、クッションロック装置２５の解除に伴い、渦巻きバネ２７の付勢力によって、シートバック１に対して下方側に回転する。
上記一連の動作により、乗り物用シートＳが図７に示す着座可能状態に復帰する。
【００４５】
＜隙間埋め部材の第２実施形態＞
次に、隙間埋め部材の第２実施形態について、図１１に基づいて説明する。
なお、上述した隙間埋め部材８０と重複する内容については説明を省略する。
第２実施形態に係る隙間埋め部材１８０は、隙間埋め部材８０と同様に、支持ベース４０側に取り付けられ、支持ベース４０からシートクッション２に向かって延びている。
【００４６】
隙間埋め部材１８０は、上下方向に弾性を有する板状バネ部材であって、ベースカバー６０の上面に取り付けられるバネ取り付け部１８１と、バネ取り付け部１８１とは反対側の端部に設けられ、シートクッション２（クッションカバー７０）に当接可能なバネ当接部１８２と、バネ当接部１８２の表面を保護するためのカバー部１８３と、から主に構成されている。
隙間埋め部材１８０は、シート前後方向に長尺となるように延びており、シート幅方向から見て湾曲した形状を有している。具体的には、バネ取り付け部１８１からバネ当接部１８２まで上方傾斜しながらシート後方に延びている。
【００４７】
バネ取り付け部１８１は、カバー突出部６１の前方部分の上面に対して連結ボルト１８４を上方から締結することで取り付けられている。
バネ当接部１８２は、上下方向に弾性を有する弾性部であって、クッション当接部７１の底面に当接するように配置されている。
カバー部１８３は、バネ当接部１８２の表面を覆う樹脂性部材であって、具体的には、バネ当接部１８２のうち、クッション当接部７１に当接する当接面１８２ａと、当接面１８２ａとは上下方向において反対側の面であってカバー突出部６１に当接可能な当接面１８２ｂと、をそれぞれ表面コーティングするものである。
なお、バネ当接部１８２の当接面１８２ｂと、カバー突出部６１の上面とは所定の上下方向の隙間が形成されている。
【００４８】
上記構成であっても、クッションロック装置２５の大型化を避けながら着座荷重を受け止めることができ、かつ、シートクッション２に多少の遊びを持たせてクッションロック装置２５を円滑に機能させることができる。
【００４９】
＜隙間埋め部材の第３実施形態＞
次に、隙間埋め部材の第３実施形態について、図１２に基づいて説明する。
第３実施形態に係る隙間埋め部材２８０は、隙間埋め部材８０，１８０とは異なって、シートクッション２側に取り付けられ、シートクッション２からベースカバー６０に向かって延びている。
隙間埋め部材２８０は、上下方向に弾性を有する弾性バネ部材であって、シートクッション２に対し、シートクッション２からベースカバー６０に向かって突出する突出長さを変更可能な状態で取り付けられる突出軸２８１と、突出軸２８１の外周面に取り付けられ、シートクッション２に対して突出軸２８１の突出長さを変更可能な状態で取り付けられる弾性スプリング２８２と、突出軸２８１のうち突出先端部分を保護するカバー部２８３と、から主に構成されている。
【００５０】
突出軸２８１は、シートクッション２のサイドフレーム２１に対し下方から組み付けられる段付きボルトであって、上下方向においてサイドフレーム２１を貫通し、当該サイドフレーム２１を連結ナット２８４との間に挟み込むことで取り付けられている。
突出軸２８１のフランジ２８１ａが、クッションカバー７０に設けられた開口穴を通じて下方に向かって延びており、クッションカバー７０から一部張り出すように配置されている。
なお、サイドフレーム２１に設けられた開口穴の周辺部分には、すべり軸受け２８５がブッシュとして取り付けられている。
【００５１】
弾性スプリング２８２は、上下方向に弾性を有する弾性部であって、具体的には、コイルドウェーブスプリングであって、上下方向において突出軸２８１のフランジ２８１ａ部分と、サイドフレーム２１との間に配置されている。
カバー部２８３は、突出軸２８１のフランジ２８１ａの表面を覆う樹脂性部材であって、具体的には、その本体部分と、当該本体部分の周縁に設けられ上方に延びるフランジ部分と、から構成されており、フランジ２８１ａを挟み込むようにして取り付けられている。
【００５２】
上記構成であっても、クッションロック装置２５の大型化を避けながら着座荷重を受け止めることができ、かつ、シートクッション２に多少の遊びを持たせてクッションロック装置２５を円滑に機能させることができる。
【００５３】
＜その他の実施形態＞
上記実施形態において、乗り物用シートＳのシート前方に収納フロアが形成されているが、特に限定されることなく、乗り物用シートＳの後方に収納フロアが形成されていても良い。
その場合、シート本体が収納フロアに収納されたときにシートバック１とシートクッション２の上下方向の位置関係が逆の配置になることが望ましい。
【００５４】
上記実施形態において、シート本体の収納状態が、特許請求の範囲の移動状態に相当するものとして説明されたが、特に限定されず、本実施形態のチップアップ状態等が移動状態に相当するものとしても勿論良い。
【００５５】
上記実施形態において、図２に示すように、支持ベース４０は、レール装置４を介して車体フロアに固定されているが、特に限定されることなく、レール装置４を不要として直接車体フロアに固定される等、適宜変更しても良い。
または、車体フロア上に固定された不図示の支持ブラケット（支持部材）を支持ベース４０の代わりとして採用しても良い。
【００５６】
上記実施形態において、図６、図１２に示すように、カバー部８３，２８３は、樹脂製のカバーとして形成されているが、特に限定されることなく、樹脂製のカバーの代わりとして例えば樹脂材料等のコーティング剤を対象部位に塗布、吹き付ける等して形成されても良い。
また、図１１に示すように、カバー部１８３は、対象部位の面に樹脂材料を表面コーティングすることで形成されているが、表面コーティングの代わりとして樹脂製のカバーを取り付ける等して形成されても良い。
【００５７】
上記実施形態において、図１２に示すように、突出軸２８１は、シートクッション２に対し、シートクッション２からベースカバー６０に向かって突出する突出長さを変更可能な状態で取り付けられる段付きボルトであるが、特に限定されることなく、段付きボルトの代わりとして公知な突き出しピン等を採用しても良い。
【００５８】
上記実施形態では、具体例として自動車に用いられる収納可能な乗り物用シートについて説明したが、特に限定されることなく、電車、バス等の乗り物用シートのほか、飛行機、船等の乗り物用シートとしても利用することができる。
【００５９】
本実施形態では、主として本発明に係る乗り物用シートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、隙間埋め部材の形状、配置、及び構成について、上記の実施形態にて説明したものは、あくまで一例に過ぎず、本発明を限定するものではない。
【符号の説明】
【００６０】
Ｓ  乗り物用シート
１  シートバック
１ａ、２ａ  クッションパッド
１ｂ、２ｂ  表皮
１ｃ  表皮張り出し部
２  シートクッション
３  ヘッドレスト
４  レール装置
４ａ  ロアレール
４ｂ  アッパレール
５  操作レバー
６  操作ダンパ
１０  バックフレーム
１１  連結ブラケット
１２  リクライニング装置
１３  シート回動軸
１４  渦巻きバネ
２０  クッションフレーム
２１  サイドフレーム
２２  前方連結パイプ
２３  中央連結パイプ
２４  パンフレーム
２５  クッションロック装置
２６  クッション回動軸
２７  渦巻きバネ
４０  支持ベース（支持部材）
４１  サイドベース部
４２  第１ベース連結部
４３  第２ベース連結部
４４  補強ベース部
６０  ベースカバー
６１  カバー突出部
６２  カバー収容凹部
７０  クッションカバー
７１  クッション当接部
８０，１８０，２８０  隙間埋め部材
８１  弾性部
８１ａ  貫通穴
８２  連結部
８３  カバー部
８４  連結ボルト
１８１  バネ取り付け部
１８２  バネ当接部
１８２ａ，１８２ｂ  当接面
１８３  カバー部
１８４  連結ボルト
２８１  突出軸
２８１ａ  フランジ
２８２  弾性スプリング
２８３  カバー部
２８４  連結ナット
２８５  すべり軸受け
【図１】
2020083272.tif 000003
【図２】
2020083272.tif 000004
【図３】
2020083272.tif 000005
【図４】
2020083272.tif 000006
【図５】
2020083272.tif 000007
【図６】
2020083272.tif 000008
【図７】
2020083272.tif 000009
【図８】
2020083272.tif 000010
【図９】
2020083272.tif 000011
【図１０】
2020083272.tif 000012
【図１１】
2020083272.tif 000013
【図１２】
2020083272.tif 000014